(57)【特許請求の範囲】
【請求項１】
モジュラージャックに嵌合するモジュラープラグにおいて、
少なくとも第１から第４の４対の電線対と、
これら第１乃至第４電線対を上下複数段に配列させるガイド孔を有するガイドプレートと、
該ガイドプレートが嵌設可能なハウジングと、
該ハウジングに前記第１乃至第４電線対に対応して配列される端子とを備え、
前記ガイド孔は、前記第１電線対が隣り合って同一の段に配置され、前記第２電線対が前記第１電線対の段とは異なる段において前記第１電線対の両側に離間し互いに同一の段に配置され、前記第３電線対が前記第２電線対の一方の電線の外側に配置され、前記第４電線対が前記第２電線対の他方の電線の外側に配置され、前記第１乃至第４電線対が前記第１電線対を中心として左右対称に段配置されるように形成されており、
前記ガイドプレートは、前記第１乃至第４電線対の幅方向における両端から前記ガイドプレートとの嵌設側に向かって前記第１乃至第４電線対の先端付近にまで延出された延出部を有することを特徴とするモジュラープラグ。
【請求項２】
前記ガイド孔は、前記第１電線対が同一の段に配置されるように形成されている請求項１に記載のモジュラープラグ。
【請求項３】
前記第３電線対の外側の電線と前記第４電線対の外側の電線と前記第２電線対が一方の段に配置され、前記第３電線対の内側の電線と前記第４電線対の内側の電線と前記第１電線対が他方の段に配置されるように前記ガイド孔が形成されている請求項２に記載のモジュラープラグ。
【請求項４】
モジュラープラグに複数の電線が結線されたハーネス品において、
少なくとも第１から第４の４対の電線対と、
これら第１乃至第４電線対を上下複数段に配列させるガイド孔を有するガイドプレートと、
該ガイドプレートが嵌設可能なハウジングと、
該ハウジングに前記第１乃至第４電線対に対応して配列される端子とを備え、
前記ガイド孔は、前記第１電線対が隣り合って同一の段に配置され、前記第２電線対が前記第１電線対の段とは異なる段において前記第１電線対の両側に離間し互いに同一の段に配置され、前記第３電線対が前記第２電線対の一方の電線の外側に配置され、前記第４電線対が前記第２電線対の他方の電線の外側に配置され、前記第１乃至第４電線対が前記第１電線対を中心として左右対称に段配置されるように形成されており、
前記ガイドプレートは、前記第１乃至第４電線対の幅方向における両端から前記ガイドプレートとの嵌設側に向かって前記第１乃至第４電線対の先端付近にまで延出された延出部を有することを特徴とするハーネス品。
【請求項５】
前記ガイド孔は、前記第１電線対が同一の段に配置されるように形成される請求項４に記載のハーネス品。
【請求項６】
前記第３電線対の外側の電線と前記第４電線対の外側の電線と前記第２電線対が一方の段に配置され、前記第３電線対の内側の電線と前記第４電線対の内側の電線と前記第１電線対が他方の段に配置されるように前記ガイド孔が形成されている請求項５に記載のハーネス品。
【発明の詳細な説明】
【０００１】
【発明の属する技術分野】
本発明は複数の電線を結線するモジュラープラグ及びハーネス品に関し、特に、複数の高速伝送用電線を結線するモジュラープラグ及びハーネス品に関する。
【０００２】
【従来の技術】
従来より、電話設備やＬＡＮ（ローカルエリアネットワーク）において用いられるコネクタ部材の１つとして、モジュラージャックと該モジュラージャックに嵌合するモジュラープラグとがある。前記モジュラージャックとモジュラープラグは嵌合時に端子同士が接触し、電気的に接続されるようになっており、前記端子の取付ピッチは規格により１．０１６ｍｍと決められている。そのため、一般に、前記モジュラープラグは前記端子に接続される電線を前記端子のピッチに合わせて配列させる手段を備えている。
【０００３】
そのような手段を有するモジュラープラグ及びハーネス品の従来例としては、例えば、特表平１０−５０６７５１に開示されたものがあり、図１２及び図１３はそのモジュラープラグ及びハーネス品を示している。
【０００４】
モジュラープラグ１は、第１から第４の４対の電線対２，２’、３，３’、４，４’、５，５’を配列させるガイドプレート６と、該ガイドプレート６が嵌設可能なハウジング７と、該ハウジング７に設けられる端子８とから構成されている。前記第１から第４の各電線対２，２’、３，３’、４，４’、５，５’は電気特性を向上させるため対毎に撚られ、外周を絶縁被覆されている。前記ガイドプレート６には８個のガイド孔９が穿設され、該ガイド孔９は上下互い違いに２段で形成されている。また、前記ハウジング７の先端部には上方から端子取付孔１０が形成されている。
【０００５】
前記モジュラープラグ１及びハーネス品を組立てるには、先ず、前記各電線対２，２’、３，３’、４，４’、５，５’の先端部分の絶縁被覆を除去し、対毎の電線の撚りを解き、図１３の左から順番に前記第３電線対４，４’、前記第２電線対の一方の電線３、前記第１電線対２，２’、前記第２電線対の他方の電線３’、前記第４電線対５，５’と並ぶように前記ガイド孔９に前記各電線の先端部分を挿通する。その後、前記各電線対の先端部分が挿通した状態の前記ガイドプレート６を前記ハウジング７に嵌設し、前記各端子８を上方から前記端子取付孔１０に挿入し、前記各電線対２，２’、３，３’、４，４’、５，５’の先端部分に押入させる。前記各端子８はそれぞれ前記各電線対２，２’、３，３’、４，４’、５，５’と電気的に接続され、前記各端子８の上端部は端子取付孔１０内に露出した状態となる。
【０００６】
【発明が解決しようとする課題】
しかし、前述した従来のモジュラープラグ及びハーネス品では、対を成す各電線同士がそれぞれ異なる段に配列され、特に、前記第２電線対の電線３，３’は異なる段に配列された上、離間されているので、配線作業が困難であり、モジュラープラグの組立てに手間が掛かっていた。また、前記第２電線対の電線３，３’間の離隔距離が長く、撚りが解かれる部分も長くなるので、クロストーク又は減衰量の低減化等が困難であり、電気特性の向上が図り難いといった問題があった。
【０００７】
そこで、本発明は上記課題を解決するためになされたものであり、配線作業の簡素化及び電気特性の向上を図ることのできるモジュラープラグ及びハーネス品を提供するものである。
【０００８】
【課題を解決するための手段】
本発明は、少なくとも第１から第４の４対の電線対と、これら第１乃至第４電線対を上下複数段に配列させるガイド孔を有するガイドプレートと、該ガイドプレートが嵌設可能なハウジングと、該ハウジングに前記第１乃至第４電線対に対応して配列される端子とを備え、前記ガイド孔は、前記第１電線対が隣り合って同一の段に配置され、前記第２電線対が前記第１電線対の段とは異なる段において前記第１電線対の両側に離間し互いに同一の段に配置され、前記第３電線対が前記第２電線対の一方の電線の外側に配置され、前記第４電線対が前記第２電線対の他方の電線の外側に配置され、前記第１乃至第４電線対が前記第１電線対を中心として左右対称に段配置されるように形成されており、前記ガイドプレートは、前記第１乃至第４電線対の幅方向における両端から前記ガイドプレートとの嵌設側に向かって前記第１乃至第４電線対の先端付近にまで延出された延出部を有することを特徴とするモジュラープラグである。
【０００９】
好適な態様としては、前記ガイド孔は、前記第１電線対が同一の段に配置されるように形成されているモジュラープラグである。
【００１１】
さらに、前記第３電線対の外側の電線と前記第４電線対の外側の電線と前記第２電線対が一方の段に配置され、前記第３電線対の内側の電線と前記第４電線対の内側の電線と前記第１電線対が他方の段に配置されるように前記ガイド孔が形成されているモジュラープラグである。
【００１２】
また、本発明は、少なくとも第１から第４の４対の電線対と、これら第１乃至第４電線対を上下複数段に配列させるガイド孔を有するガイドプレートと、該ガイドプレートが嵌設可能なハウジングと、該ハウジングに前記第１乃至第４電線対に対応して配列される端子とを備え、前記ガイド孔は、前記第１電線対が隣り合って同一の段に配置され、前記第２電線対が前記第１電線対の段とは異なる段において前記第１電線対の両側に離間し互いに同一の段に配置され、前記第３電線対が前記第２電線対の一方の電線の外側に配置され、前記第４電線対が前記第２電線対の他方の電線の外側に配置され、前記第１乃至第４電線対が前記第１電線対を中心として左右対称に段配置されるように形成されており、前記ガイドプレートは、前記第１乃至第４電線対の幅方向における両端から前記ガイドプレートとの嵌設側に向かって前記第１乃至第４電線対の先端付近にまで延出された延出部を有することを特徴とするハーネス品である。
【００１３】
好適な態様としては、前記ガイド孔は、前記第１電線対が同一の段に配置されるように形成されるハーネス品である。
【００１５】
さらに、前記第３電線対の外側の電線と前記第４電線対の外側の電線と前記第２電線対が一方の段に配置され、前記第３電線対の内側の電線と前記第４電線対の内側の電線と前記第１電線対が他方の段に配置されるように前記ガイド孔が形成されているハーネス品である。
【００１６】
このような構成において、前記第１から第４の各電線対の各先端部分の撚りを解き、該電線対の先端部分をそれぞれ前記ガイド孔の所定位置に挿通し、前記各電線対を保持した状態の前記ガイドプレートを前記ハウジングに嵌設する。その後、該ハウジングの上方から端子を挿入し、前記各電線対内に押入させると、前記各端子と前記各電線対はそれぞれ電気的に接続された状態となる。各電線対の電線間の離隔距離が最小となり、電線の撚りを解く部分の長さも最小限で済むため、前記各電線対の前記ガイドプレートへの挿通作業が容易となると共に電気特性が向上する。
【００１７】
【発明の実施の形態】
以下、図面を参照しつつ、本発明の実施の形態を説明する。
【００１８】
モジュールプラグ２１は、所要対、例えば、第１から第４の４対の電線対２２，２２'、２３，２３'、２４，２４'、２５，２５'を配列させるガイドプレート２６と、該ガイドプレート２６が嵌設可能なハウジング２７とを備えている。
【００１９】
前記第１から第４の各電線対の各電線２２，２２’、２３，２３’、２４，２４’、２５，２５’は、例えば、外径が１．１ｍｍの高速伝送用電線であり、それぞれ対毎に撚られ、絶縁外装３０により被覆され、先端部分３１は前記絶縁外装３０が除去され、撚りが解かれるようになっている。また、前記先端部分３１は絶縁外装４３により被覆され、中心に単線又は撚線の心線が設けられている。
【００２０】
前記ガイドプレート２６は例えば、合成樹脂製であり、幅方向に細長のガイド孔３２が形成された挿通部３３と、該挿通部３３の両側から先端方向に延出する延出部３４とから構成され、該延出部３４の内面は前記電線対の外径に合わせて僅かに凹状に形成されているのが好ましい。前記ガイド孔３２は、図２の左から順番に８個の円柱状の孔３２ａ，３２ｂ，３２ｃ，３２ｄ，３２ｅ，３２ｆ，３２ｇ，３２ｈを上下２段で連ねた形状を成し、例えば、図４に示されているように、前記孔３２ａ，３２ｃ，３２ｆ，３２ｈが上段に配置され、前記他の孔３２ｂ，３２ｄ，３２ｅ，３２ｇが下段に配置されている。前記第１電線対２２，２２'は前記８個の孔のうちの中央の孔３２ｄ，３２ｅを並列に挿通し、前記第２電線対２３，２３’は第１電線対２２，２２'の両側に離間した状態で前記孔３２ｃ，３２ｆを挿通するようになっている。また、前記第３電線対２４，２４’は前記第２電線対２３，２３’の一方の電線２３の外側で前記孔３２ａ，３２ｂを挿通し、前記第４電線対２４，２４'は前記第２電線対２３，２３’の他方の電線２３’の外側で前記孔３２ｇ，３２ｈを挿通するようになっている。
【００２１】
前記ハウジング２７には、基端側から先端部３５方向に空洞部３６が形成され、該空洞部３６に前記各電線対の先端部分３１を保持した状態の前記ガイドプレート２６が嵌設可能となっている。前記ハウジング２７の先端部３５には前記ガイド孔３２と同一形状の係止孔３７が形成され、該係止孔３７には前記ガイド孔３２の孔３２ａ，３２ｂ，３２ｃ，３２ｄ，３２ｅ，３２ｆ，３２ｇ，３２ｈに対応して孔３７ａ，３７ｂ，３７ｃ，３７ｄ，３７ｅ，３７ｆ，３７ｇ，３７ｈが形成されている。前記先端部３５には上方から８個の端子取付孔３８が１．０１６ｍｍピッチで形成され、該各端子取付孔３８は前記各孔３７ａ，３７ｂ，３７ｃ，３７ｄ，３７ｅ，３７ｆ，３７ｇ，３７ｈに沿ったスリット状を成し、それぞれ前記各孔３７ａ，３７ｂ，３７ｃ，３７ｄ，３７ｅ，３７ｆ，３７ｇ，３７ｈに連通している。また、先端部３５には下端部から基端側下方に延出した片持ち梁状の係止片３９が設けられている。
【００２２】
前記各端子取付孔３８にはそれぞれ薄板状の端子２８が挿脱可能であり、該端子２８の下端部は二股を成し、尖っている。好ましくは、前記端子２８の長さ及び形状はすべて同一に形成されている。また、前記ハウジング２７は前記端子取付孔３８及び前記係止片３９を除く外周を金属製のグランド板２９で覆われている。該グランド板２９の基端部４０には下端側から水平に延出する支持片４１を介して電線用グランド板４２が設けられ、該電線用グランド板４２は下端部が湾曲したＵ字状を成し、露出している網線４４を圧着可能に形成されている。
【００２３】
次に、前記モジュールプラグ２１及びハーネス品の組立て手順を説明する。
【００２４】
前記第１から第４の各電線対２２，２２’、２３，２３’、２４，２４’、２５，２５’の各先端部分３１の撚りを解き、それぞれ前記ガイド孔３２の所定位置に挿通する。前記第１電線対の各電線２２，２２’は共に同じ上段に配置され、前記第２電線対の各電線２３，２３’は共に同じ下段に配置され、さらに、前記第１電線対２２，２２'は隣り合って配置されているので、第２電線対の各電線間の離隔距離が最小となり、また、撚りを解く部分の長さも最小限で済む。したがって、前記各電線対の前記ガイドプレート２６への挿通作業が容易となると共に電気特性の向上が図れる。また、前記延出部３４により前記各電線対を両側から保持し、該各電線対の幅方向の広がりを拘束することができるので、前記各電線対が前記ガイドプレート２６の所定位置に配列された状態は確実に保持される。
【００２５】
前記第１から第４の各電線対２２，２２’、２３，２３’、２４，２４’、２５，２５’を保持した状態の前記ガイドプレート２６を前記ハウジング２７の空洞部３６に嵌設し、前記各電線対の先端部分３１を前記係止孔３７に挿通する。この間、前記各電線対は前記ガイド孔３２及び前記延出部３４により前述した配列状態を保持されているので、前記ガイドプレート２６を前記ハウジング２７に容易且つ確実に嵌設することができる。
【００２６】
その後、前記各端子取付孔３８にそれぞれ上方から端子２８を挿入し、該端子２８の下端部は各電線の前記絶縁外装４３を突き破り、前記各電線対内に押入し心線に接する。前記各端子２８と前記各電線対２２，２２’、２３，２３’、２４，２４’、２５，２５’はそれぞれ電気的に接続され、前記各端子８の上端部は前記各端子取付孔３８内の所定位置に保持された状態となる。
【００２７】
なお、前記ガイド孔３２の形状は上記実施の形態で説明した形状に限定されるものではなく、各種の変更が可能である。例えば、図５に示したように、上記実施の形態におけるガイド孔３２を上下反対にした形状であってもよい。また、図６に示したように、前記孔３２ａ，３２ｃ，３２ｄ，３２ｆ，３２ｈを上段に配置し、他の前記孔３２ｂ，３２ｅ，３２ｇを下段に配置してもよく、図７のように、それを上下反対にした形状としてもよい。さらに、図８に示したように、前記孔３２ａ，３２ｃ，３２ｅ，３２ｆ，３２ｈを上段に配置し、他の前記孔３２ｂ，３２ｄ，３２ｇを下段に配置してもよく、図９のように、それを上下反対にした形状としてもよい。さらにまた、図１０に示したように、前記孔３２ｃ，３２ｆを上段に配置し、他の前記孔３２ａ，３２ｂ，３２ｄ，３２ｅ，３２ｇ，３２ｈを下段に配置してもよく、図１１のように、それを上下反対にした形状としてもよい。
【００２８】
また、上記実施の形態においては、４対の電線対の場合について説明したが、２対、３対又は５対以上の電線対においても実施可能であることは言うまでもない。さらに、上記実施の形態においては、前記各ガイド孔３２は上下２段に形成されているが、３段以上であってもよい。
【００２９】
さらに、上記実施の形態においては高速伝送用電線を使用しているので、電線の外径が１．１ｍｍとなっているが、他の外径、例えば、０．９から１．０ｍｍの電線を使用してもよい。
【００３０】
【発明の効果】
以上述べた如く本発明によれば、第１電線対が隣り合って配置されていると共に第２電線対が同一の段に配置されているので、電線の取付作業が容易であり、モジュラープラグの組立てに手間が掛からない。また、第２電線対の各電線間の離隔距離が短く、撚りが解かれる部分も最小限にとどまるので、クロストーク又は減衰量の低減化が図れ、電気特性が向上する。
【図面の簡単な説明】
【図１】本発明の実施の形態を示す斜視図である。
【図２】図１のＡ−Ａ断面図である。
【図３】図１のＢ−Ｂ断面図である。
【図４】本発明の実施の形態におけるガイド孔の形状を示す概略説明図である。
【図５】ガイド孔の別の形状の例を示す概略説明図である。
【図６】ガイド孔の別の形状の例を示す概略説明図である。
【図７】ガイド孔の別の形状の例を示す概略説明図である。
【図８】ガイド孔の別の形状の例を示す概略説明図である。
【図９】ガイド孔の別の形状の例を示す概略説明図である。
【図１０】ガイド孔の別の形状の例を示す概略説明図である。
【図１１】ガイド孔の別の形状の例を示す概略説明図である。
【図１２】従来例を示す斜視図である。
【図１３】図１２のＣ−Ｃ断面図である。
【符号の説明】
２１          モジュラープラグ
２２          第１電線対
２３          第２電線対
２４          第３電線対
２５          第４電線対
２６          ガイドプレート
２７          ハウジング
２８          端子
３２          ガイド孔
【図１】
0003708785.tif 000002
【図２】
0003708785.tif 000003
【図３】
0003708785.tif 000004
【図４】
0003708785.tif 000005
【図５】
0003708785.tif 000006
【図６】
0003708785.tif 000007
【図７】
0003708785.tif 000008
【図８】
0003708785.tif 000009
【図９】
0003708785.tif 000010
【図１０】
0003708785.tif 000011
【図１１】
0003708785.tif 000012
【図１２】
0003708785.tif 000013
【図１３】
0003708785.tif 000014